(57)【特許請求の範囲】
【請求項１】
複数の音声信号伝送用のチャンネルのうちの全部又は一部について、テスト用音声信号を出力する音声テスト信号発生部と、
前記テスト用音声信号を出力するチャンネルを特定する音声ＩＤ信号を音声合成して出力する音声ＩＤ信号発生部と、
前記テスト用音声信号に、前記音声ＩＤ信号を加算して出力する音声合成部とを備える
ことを特徴とする信号発生装置。
【請求項２】
テスト用の映像信号を生成する映像テスト信号発生部と、
前記テスト用音声信号を出力するチャンネルを特定する情報を表示する映像信号を出力する音声情報信号発生部と、
前記映像テスト信号発生部から出力される映像信号と、前記音声情報信号発生部から出力される映像信号とを合成して出力する映像合成部と
を備えることを特徴とする請求項１に記載の信号発生装置。
【発明の詳細な説明】
【技術分野】
【０００１】
本発明は、信号発生装置に関し、例えば放送現場における音声の確認に適用することができる。本発明は、テスト用の音声信号に、テスト用の音声信号を出力するチャンネルを特定する音声を重畳して出力することにより、音声伝送路の確認に係る作業を簡略化することができるようにする。
【背景技術】
【０００２】
従来、放送現場では、複数チャンネルの音声信号をスタジオ側に伝送する場合がある。この場合、放送現場では、スタジオ側からインカムにより指示されたチャンネルに信号発生装置で発生した音声を送出すると共に、スタジオ側でこのチャンネルの音声を確認し、この確認作業を順次チャンネルを切り換えて実行することにより、音声伝送路を確認するようになされている。
【０００３】
このような音声信号に係る信号発生装置は、例えば特開平６−３２４６９４号公報等に、種々の工夫が提案されている。
【０００４】
ところでこのようにインカムを用いた通話によりチャンネルを順次切り換えて音声伝送路を確認する場合、作業が煩雑な欠点がある。この音声伝送路の確認に係る作業を簡略化することができれば、便利であると考えられる。
【特許文献１】特開平６−３２４６９４号公報
【発明の開示】
【発明が解決しようとする課題】
【０００５】
本発明は以上の点を考慮してなされたもので、音声伝送路の確認に係る作業を簡略化することができる信号発生装置を提案しようとするものである。
【課題を解決するための手段】
【０００６】
かかる課題を解決するため請求項１の発明は、信号発生装置に適用して、複数の音声信号伝送用のチャンネルのうちの全部又は一部について、テスト用音声信号を出力する音声テスト信号発生部と、前記テスト用音声信号を出力するチャンネルを特定する音声ＩＤ信号を音声合成して出力する音声ＩＤ信号発生部と、前記テスト用音声信号に、前記音声ＩＤ信号を加算して出力する音声合成部とを備えるようにする。
【０００７】
また請求項２の発明は、請求項１の構成において、テスト用の映像信号を生成する映像テスト信号発生部と、前記テスト用音声信号を出力するチャンネルを特定する情報を表示する映像信号を出力する音声情報信号発生部と、前記映像テスト信号発生部から出力される映像信号と、前記音声情報信号発生部から出力される映像信号とを合成して出力する映像合成部とを備えるようにする。
【０００８】
請求項１の構成により、信号発生装置に適用して、複数の音声信号伝送用のチャンネルのうちの全部又は一部について、テスト用音声信号を出力する音声テスト信号発生部と、前記テスト用音声信号を出力するチャンネルを特定する音声ＩＤ信号を音声合成して出力する音声ＩＤ信号発生部と、前記テスト用音声信号に、前記音声ＩＤ信号を加算して出力する音声合成部とを備えるようにすれば、音声ＩＤ信号によりテスト用の音声信号を出力しているチャンネルを確認しながら、音声伝送路の確認に係る作業を実行することができる。これにより従来のようにインカムにより確認し合わなくても、作業を実行することができ、その分、音声伝送路の確認に係る作業を簡略化することができる。
【０００９】
また請求項２の構成により、請求項１の構成において、テスト用の映像信号を生成する映像テスト信号発生部と、前記テスト用音声信号を出力するチャンネルを特定する情報を表示する映像信号を出力する音声情報信号発生部と、前記映像テスト信号発生部から出力される映像信号と、前記音声情報信号発生部から出力される映像信号とを合成して出力する映像合成部とを備えるようにすれば、テスト用音声信号と共に伝送する映像信号によっても、テスト用の音声信号を出力しているチャンネルを確認することができ、その分、使い勝手を向上することができる。
【発明の効果】
【００１０】
本発明によれば、音声伝送路の確認に係る作業を簡略化することができる。
【発明を実施するための最良の形態】
【００１１】
以下、適宜図面を参照しながら本発明の実施例を詳述する。
【実施例１】
【００１２】
（１）実施例の構成
図１は、本発明の実施例に係る信号発生装置を示すブロック図である。この信号発生装置１は、例えば中継車に搭載されて音声伝送路の確認に供する映像信号ＳＶ及び音声信号ＳＡを出力する。これによりこの実施例では、この映像信号ＳＶ及び音声信号ＳＡが各種の伝送路を介してスタジオに伝送される。
【００１３】
この信号発生装置１において、制御部２は、この信号発生装置１の動作に必要な各種タイミング信号を生成して出力する。またこの信号発生装置１に設けられた操作パネルの操作に応動して、さらにスタジオ側からの遠隔制御により、各部の動作を制御する。
【００１４】
映像テスト信号発生部３は、制御部２の制御により、カラーバー、パソロジカル等の各種の映像に係るテスト信号を生成して出力する。
【００１５】
音声情報信号発生部４は、制御部２の制御により、音声情報を表示する映像信号を生成して出力する。ここでこの音声情報は、伝送路の確認に供する音声信号のチャンネルを特定する情報であり、この実施例では、テスト用の音声信号を出力するチャンネルを特定する情報である。
【００１６】
映像ミクサ（映像ＭＩＸ）６は、この映像テスト信号発生部３から出力される映像信号、音声情報信号発生部４から出力される映像信号を合成して出力する。ここで図２は、映像テスト信号発生部３でカラーバーによるテスト信号を生成して、映像ミクサ６で合成される映像信号の表示画面を示す平面図である。
【００１７】
この実施例では、画面の下半分より下側に、矢印Ａにより示すように、この信号発生装置１により音声信号を出力可能なチャンネルの表示が設けられ、また矢印Ｂにより示すように、各チャンネルの表示の右側に、矩形のマークによりテスト用の音声信号を出力するチャンネルが示され、また矢印Ｃにより示すように、その右側に、テスト用音声信号の周波数が表示される。なおこの図２に示す例では、チャンネル１〜８のうちの、チャンネル１、２、８により周波数４００〔Ｈｚ〕のテスト用音声信号を出力し、チャンネル３、７により周波数１〔ｋＨｚ〕のテスト用音声信号を出力することが示されている。
【００１８】
これによりこの実施例では、映像により音声伝送路の確認に供する音声信号のチャンネルを確認できるようになされている。なおこれにより音声情報信号発生部４は、この画面の下半分より下側の表示に係る映像信号を生成して出力することになる。
【００１９】
エンコーダ７は、映像ミクサ６から出力される映像信号ＳＶと、エンコーダ８から出力される音声信号ＳＡとを入力し、ＳＤＴＶ（Standard Difinition Television）又はＨＤＴＶ（High Definition Television）によるシリアルディジタルインターフェースにより伝送対象に送出する。
【００２０】
音声ＩＤ信号発生部９は、制御部２の制御により、音声情報を示す音声ＩＤ信号を音声合成して出力する。具体的に、音声ＩＤ信号発生部９は、チャンネル１によりテスト用音声信号を出力する場合、「チャンネル  ワン」との音声により音声ＩＤ信号を出力する。また図２について上述したように、チャンネル１〜８のうちの、チャンネル１、２、３、７、８によりテスト用音声信号を出力する場合、「チャンネル  ワン  ツウ、スリー、セブン、エイト」との音声による音声ＩＤ信号を出力する。
【００２１】
音声テスト信号発生部５は、制御部２の制御により、音声ＩＤ信号発生部９から出力される音声ＩＤ信号により特定されるチャンネルにテスト用の音声信号を出力する。
【００２２】
エンコーダ８は、音声テスト信号発生部５から出力される音声信号に、音声ＩＤ信号発生部９から出力される音声ＩＤ信号を加算した後、エンコーダ７に出力し、またＡＥＳ／ＥＢＵによるディジタル音声フォーマットにより出力する。この処理において、エンコーダ８は、音声ＩＤ信号を、音声信号の全チャンネルに加算する。
【００２３】
これにより例えばテスト用音声信号をチャンネル１に出力する場合、このチャンネル１の音声信号にあっては、「チャンネル  ワン  ピー（テスト信号音）」との音声が出力されるようになされている。またテスト用音声信号を出力しないチャンネルにあっては、「チャンネル  ワン」との音声が流れた後、無音の状態に保持される。
【００２４】
（２）実施例の構成
以上の構成において、この信号発生装置１は、この信号発生装置１の操作パネルの操作により、又はスタジオ側からの遠隔制御により、音声テスト信号発生部５で、複数の音声信号伝送用のチャンネルのうちの全部又は一部について、テスト用音声信号が出力され、このテスト用音声信号がエンコーダ７又は８を介してスタジオに伝送される。
【００２５】
信号発生装置１では、このようにしてテスト用音声信号を出力する際に、音声ＩＤ信号発生部９により、テスト用音声信号を出力するチャンネルを特定する音声ＩＤ信号が音声合成され、この音声ＩＤ信号がエンコーダ８により各チャンネルの音声信号に加算される。
【００２６】
これによりこれら音声信号の伝送先にあっては、わざわざインカムにより信号発生装置側と通話して確認しなくても、テスト用音声信号が正常に伝送されているか否かを各チャンネル毎に確認することができ、これにより従来に比して、音声伝送路の確認に係る作業を簡略化することができる。
【００２７】
特にこの実施例において、この信号発生装置１では、スタジオ側からの遠隔制御によっても、このようなテスト信号の出力に係る処理を実行することができ、これによりわざわざ信号発生装置１側に人員を設けることなく、スタジオ側のみで音声伝送路を確認することができ、その分、使い勝手を向上することができる。
【００２８】
またこのようなテスト用音声信号と共に、信号発生装置１では、テスト用の映像信号が映像テスト信号発生部３により生成され、このテスト用映像信号が送出されて、映像信号に係る伝送路の確認に供される。
【００２９】
テスト用音声信号を出力する場合、信号発生装置１では、このテスト用音声信号を出力するチャンネルを特定する情報を表示する映像信号が、音声情報信号発生部４で生成され、この映像信号がテスト用映像信号に重畳されて出力される。これによりこの信号発生装置１では、テスト用音声信号と共に伝送する映像信号によっても、テスト用の音声信号を出力しているチャンネルを確認することができ、その分、使い勝手を向上することができる。
【００３０】
（３）実施例の効果
以上の構成によれば、テスト用の音声信号に、テスト用の音声信号を出力するチャンネルを特定する音声を重畳して出力することにより、音声伝送路の確認に係る作業を簡略化することができる。
【００３１】
またテスト用音声信号と共に伝送する映像信号に、テスト用音声信号を出力するチャンネルを特定する情報を表示する映像信号を合成して出力することにより、映像信号によってもテスト用の音声信号を出力しているチャンネルを確認することができ、その分、使い勝手を向上することができる。
【実施例２】
【００３２】
なお上述の実施例においては、放送現場とスタジオとの間で音声伝送路の確認に本発明を適用する場合について述べたが、本発明はこれに限らず、スタジオ間における音声伝送路の確認、各種音声信号処理装置における音声伝送路の確認などや、種々の音声伝送路の確認および、複数チャンネルの音声処理部を持つ装置の音声処理部の動作確認にも広く適用することができる。
【産業上の利用可能性】
【００３３】
本発明は、例えば放送現場における音声の確認に適用することができる。
【図面の簡単な説明】
【００３４】
【図１】本発明の実施例に係る信号発生装置を示すブロック図である。
【図２】図１の信号派生装置による表示画面を示す平面図である。
【符号の説明】
【００３５】
１……信号発生装置、２……制御部、３……映像テスト信号発生部、４……音声情報信号発生部、５……音声テスト信号発生部、６……映像ミクサ、９……音声ＩＤ信号発生部
【図１】
0004688592.tif 000002
【図２】
0004688592.tif 000003